(57)【要約】  【課題】医療器具の技術分野に関する多経路作業カニューレを提供する。  【解決手段】メイン案内カニューレ（１）と複数のサブ案内カニューレ（２）とを含み、メイン案内カニューレ（１）とサブ案内カニューレ（２）との間隔を調節することができ、メイン案内カニューレ（１）の一端にはガイドプレート（３）が設けられ、ガイドプレート（３）には第１貫通孔（３０）が設けられ、メイン案内カニューレ（１）は第１貫通孔（３０）内に挿入され、ガイドプレート（３）には少なくとも１つの長尺孔（３１）が設けられ、サブ案内カニューレ（２）の一端には取付ブロック（４）が設けられ、取付ブロック（４）の長さは長尺孔（３１）の長さより短く、取付ブロック（４）は、対応する長尺孔（３１）内に挿入され、取付ブロック（４）には第２貫通孔（４０）が設けられ、サブ案内カニューレ（２）は第２貫通孔（４０）内に挿入される。メイン案内カニューレ（１）の外側にサブ案内カニューレ（２）を設置することで、従来の主経路の機能に対する障害を避ける。取付ブロック（４）を長尺孔（３１）の長手方向に沿って移動して、サブ案内カニューレ（２）とメイン案内カニューレ（１）との間隔を調節でき、メイン案内カニューレ（１）内での器具がサブ案内カニューレの内部での器具を障害することを防止する。サブ案内カニューレ（２）を追加する必要がある場合、サブ案内カニューレ（２）を挿入してもよいし、サブ案内カニューレ（２）が不要な場合、サブ案内カニューレ（２）を取外してもよく、更に柔軟な操作を実現する。  【選択図】図１
2021533928.tif 000002
【特許請求の範囲】
【請求項１】
メイン案内カニューレ（１）と複数のサブ案内カニューレ（２）とを含み、前記メイン案内カニューレ（１）と前記サブ案内カニューレ（２）との間隔を調節することができ、
前記メイン案内カニューレ（１）は、一端にガイドプレート（３）が設けられ、他端が挿入端であり、前記ガイドプレート（３）は前記メイン案内カニューレ（１）に垂直な長手方向に沿って延在し、
前記ガイドプレート（３）には第１貫通孔（３０）が設けられ、前記メイン案内カニューレ（１）は前記第１貫通孔（３０）内に挿入され、前記ガイドプレート（３）には少なくとも１つの長尺孔（３１）が設けられ、前記長尺孔（３１）は前記ガイドプレート（３）が位置する平面に沿って間隔を開けて分布し、
前記サブ案内カニューレ（２）の一端には取付ブロック（４）が設けられ、前記取付ブロック（４）の長さは前記長尺孔（３１）の長さより短く、前記取付ブロック（４）は、対応する前記長尺孔（３１）内に挿入され、
前記取付ブロック（４）には第２貫通孔（４０）が設けられ、前記サブ案内カニューレ（２）は前記第２貫通孔（４０）内に挿入され、前記取付ブロック（４）の側面には係止孔（４１）が設けられ、前記係止孔（４１）は前記第２貫通孔（４０）に連通し、
更に第１係止部材（５）を含み、
前記第１係止部材（５）は前記係止孔（４１）内に挿入され、前記サブ案内カニューレ（２）と前記取付ブロック（４）とを固定接続する、ことを特徴とする多経路作業カニューレ。
【請求項２】
前記ガイドプレート（３）には位置決め孔（３２）が設けられ、前記位置決め孔（３２）は前記長尺孔（３１）の両側に沿って間隔を開けて分布し、
前記取付ブロック（４）には固定孔（４２）が設けられ、
更に第２係止部材（６）を含み、
前記第２係止部材（６）が前記固定孔（４２）及び該固定孔（４２）に対応する位置決め孔（３２）内に挿入され、取付ブロック（４）を前記ガイドプレート（３）に固定する、ことを特徴とする請求項１に記載の多経路作業カニューレ。
【請求項３】
前記取付ブロック（４）はＴ字形ブロックであり、
前記取付ブロック（４）は第１接続部（４３）と第２接続部（４４）とを含み、前記第２接続部（４４）は前記第１接続部（４３）から突出し、
前記第２貫通孔（４０）は前記第１接続部（４３）と第２接続部（４４）を貫通し、前記係止孔（４１）は第１接続部（４３）の側面に設置され、
前記固定孔（４２）は、第２接続部（４４）の前記第１接続部（４３）から突出している部分に設置される、ことを特徴とする請求項２に記載の多経路作業カニューレ。
【請求項４】
前記第２接続部（４４）の幅は、前記長尺孔（３１）の幅より大きく、
前記第１接続部（４３）の幅は、前記長尺孔（３１）の幅と同じであり、
前記第１接続部（４３）の高さは、前記長尺孔（３１）の高さと同じである、ことを特徴とする請求項３に記載の多経路作業カニューレ。
【請求項５】
前記第１係止部材（５）は第１ボルトと第１ナットとを含み、
前記第１ボルトが前記係止孔（４１）内に挿入され、前記サブ案内カニューレ（２）と前記取付ブロック（４）を固定接続し、
前記第２係止部材（６）は第２ボルトと第２ナット（６０）とを含み、
前記第２ボルトが前記固定孔（４２）及び該固定孔（４２）に対応する位置決め孔（３２）内に挿入され、取付ブロック（４）を前記ガイドプレート（３）に固定する、ことを特徴とする請求項４に記載の多経路作業カニューレ。
【請求項６】
前記第１ボルトの長さは、前記係止孔（４１）の長さより長い、ことを特徴とする請求項５に記載の多経路作業カニューレ。
【請求項７】
前記第２ボルトの長さは、前記固定孔（４２）と前記位置決め孔（３２）の厚さの合計以下であり、
前記取付ブロック（４）には座ぐり孔が設けられ、
前記座ぐり孔は、第１接続部（４３）の前記第２接続部（４４）から離れた一端に設置され、
前記第２ナット（６０）は前記座ぐり孔内に位置する、ことを特徴とする請求項６に記載の多経路作業カニューレ。
【請求項８】
前記サブ案内カニューレ（２）の長さはメイン案内カニューレ（１）の長さより小さく、
前記メイン案内カニューレ（１）の挿入端のサブ案内カニューレ（２）に近づく片側には内視鏡視野孔（７）が設けられ、内視鏡視野孔は長尺孔となり、メイン案内カニューレ（１）の長手方向に沿って延在する、ことを特徴とする請求項７に記載の多経路作業カニューレ。
【請求項９】
前記取付ブロック（４）の第２貫通孔（４０）は傾斜孔であり、第２貫通孔（４０）は上からメイン案内カニューレ（１）へ傾斜する、ことを特徴とする請求項８に記載の多経路作業カニューレ。
【請求項１０】
前記メイン案内カニューレ（１）はガイドプレート（３）と一体化されて設置され、前記メイン案内カニューレ（１）の挿入端のサブ案内カニューレ（２）に近づく片側には傾斜開口（８）が設けられる、ことを特徴とする請求項９に記載の多経路作業カニューレ。
【発明の詳細な説明】
【技術分野】
【０００１】
本発明は医療器具技術の分野に関し、特に多経路作業カニューレに関する。
【背景技術】
【０００２】
低侵襲手術には、創傷が小さく、痛みが少なく、回復が早い長所があるため、「低侵襲」という概念は外科手術の各分野に浸透している。低侵襲手術とは、腹腔鏡や胸腔鏡など最新の医療器具を利用し、低侵襲経路装置及び関連装置と組み合わせて行われる手術である。
【０００３】
従来技術において、低侵襲経路装置はガイドカニューレと拡張カニューレとを含み、ガイドカニューレは拡張カニューレの内部に設置される。実際の施術において、患部の周辺の骨部位を研削する必要がある場合、ドリルをガイドカニューレに沿って患部まで挿入して研削しなければならない。拡張カニューレ内にはガイドカニューレが１本しかないため、ドリルを挿入すると同時に内視鏡を挿入することができない。したがって、実際に研削を行う場合、ドリルの研削状態を確認することができず、常に研削部位に正確に位置合わせすることができない。一方、研削が終わってから、内視鏡を挿入して観察する場合、ドリルをガイドカニューレから抜き出してから内視鏡をガイドカニューレ内に挿入しなければならないため、操作手順が複雑であるため、施術が長引き、患者に損傷を与えてしまった。
【０００４】
実際の使用においては、内視鏡の寸法が大きい上、ガイドカニューレは拡張カニューレの内部に設置されるため、従来の拡張カニューレの作業面積は減縮され、内視鏡を拡張カニューレに入れると、低侵襲経路全体がほとんど詰め込まれ、ほかの器具を更に入れられず、複数の経路で器具を同時に操作する要件を満たすことができない。
【発明の概要】
【発明が解決しようとする課題】
【０００５】
本発明は、従来の技術において低侵襲経路装置は複数の経路で器具を同時に操作する要件を満たすことができない課題を解決する多経路作業カニューレを提供する。
【課題を解決するための手段】
【０００６】
本発明の実施例は、メイン案内カニューレと複数のサブ案内カニューレとを含む多経路作業カニューレを提供し、前記メイン案内カニューレと前記サブ案内カニューレとの間隔を調節でき、
【０００７】
前記メイン案内カニューレは一端にガイドプレートが設けられ、他端が挿入端であり、前記ガイドプレートは前記メイン案内カニューレに垂直な長手方向に沿って延在し、
【０００８】
前記ガイドプレートには第１貫通孔が設けられ、前記メイン案内カニューレは前記第１貫通孔内に挿入され、前記ガイドプレートには少なくとも１つの長尺孔が設けられ、前記長尺孔は前記ガイドプレートが位置する平面に沿って間隔を開けて分布し、
【０００９】
前記サブ案内カニューレの一端には取付ブロックが設けられ、前記取付ブロックの長さは前記長尺孔の長さより短く、前記取付ブロックは、対応する前記長尺孔内に挿入され、
【００１０】
前記取付ブロックには第２貫通孔が設けられ、前記サブ案内カニューレは前記第２貫通孔内に挿入され、前記取付ブロックの側面には係止孔が設けられ、前記係止孔は前記第２貫通孔に連通する。
更に第１係止部材を含み、
前記第１係止部材は前記係止孔内に挿入され、前記サブ案内カニューレと前記取付ブロックとを固定接続する。
選択的に、前記ガイドプレートには位置決め孔が設けられ、前記位置決め孔は前記長尺孔の両側に沿って間隔を開けて分布し、
前記取付ブロックには固定孔が設けられ、
更に第２係止部材を含み、
【００１１】
前記第２係止部材は前記固定孔及び該固定孔に対応する位置決め孔内に挿入され、取付ブロックを前記ガイドプレートに固定する。
【００１２】
選択的に、前記取付ブロックはＴ字形ブロックであり、
【００１３】
前記取付ブロックは第１接続部と第２接続部とを含み、前記第２接続部は前記第１接続部から突出し、
【００１４】
前記第２貫通孔は前記第１接続部と第２接続部とを貫通し、前記係止孔は前記第１接続部の側面に設置され、
【００１５】
前記固定孔は、第２接続部の前記第１接続部から突出している部分に設置される。
【００１６】
選択的に、前記第２接続部の幅は、前記長尺孔の幅より大きく、
【００１７】
前記第１接続部の幅は、前記長尺孔の幅と同じであり、
【００１８】
前記第１接続部の高さは、前記長尺孔の高さと同じである。
選択的に、前記第１係止部材は第１ボルトと第１ナットとを含み、
【００１９】
前記第１ボルトは前記係止孔内に挿入され、前記サブ案内カニューレと前記取付ブロックとを固定接続し、
【００２０】
前記第２係止部材は第２ボルトと第２ナットとを含み、
【００２１】
前記第２ボルトは前記固定孔及び該固定孔に対応する位置決め孔内に挿入され、取付ブロックを前記ガイドプレートに固定する。
【００２２】
選択的に、前記第１ボルトの長さは、前記係止孔の長さより長い。
【００２３】
選択的に、前記第２ボルトの長さは、前記固定孔と前記位置決め孔の厚さの合計以下である。
【００２４】
前記取付ブロックには座ぐり孔が設けられ、
前記サブ案内カニューレの長さは、メイン案内カニューレの長さより短く、
【００２５】
前記メイン案内カニューレの挿入端のサブ案内カニューレに近づく片側には内視鏡視野孔が設けられ、内視鏡視野孔は長尺孔であり、メイン案内カニューレの長手方向に沿って延在する。
選択的に、前記取付ブロックの第２貫通孔は傾斜孔であり、第２貫通孔は上からメイン案内カニューレへ傾斜する。
【００２６】
選択的に、前記メイン案内カニューレはガイドプレートと一体化されて設置され、前記メイン案内カニューレの挿入端のサブ案内カニューレに近づく片側には傾斜開口が設けられる。
従来の技術に比べて、本発明は下記の有益な効果を有する。
【００２７】
１、本発明はメイン案内カニューレと複数のサブ案内カニューレとを含み、メイン案内カニューレとサブ案内カニューレとの間隔を調節でき、メイン案内カニューレは一端にガイドプレートが設けられ、他端が挿入端であり、ガイドプレートはメイン案内カニューレに垂直な長手方向に沿って延在し、ガイドプレートには第１貫通孔が設けられ、メイン案内カニューレは第１貫通孔内に挿入され、ガイドプレートには少なくとも１つの長尺孔が設けられ、長尺孔はガイドプレートが位置する平面に沿って間隔を開けて分布し、サブ案内カニューレの一端には取付ブロックが設けられ、取付ブロックの長さは前記長尺孔の長さより短く、取付ブロックは、対応する長尺孔内に挿入され、取付ブロックには第２貫通孔が設けられ、サブ案内カニューレは第２貫通孔内に挿入され、取付ブロックの側面には係止孔が設けられ、係止孔は第２貫通孔に連通し、更に第１係止部材を含み、第１係止部材は係止孔内に挿入され、サブ案内カニューレと取付ブロックとを固定接続する。本発明において、メイン案内カニューレの外側にサブ案内カニューレを設置することで、従来の主経路の機能に対する障害を避ける。同時に、サブ案内カニューレの一端には取付ブロックが設けられるため、取付ブロックを長尺孔の長手方向に沿って移動して、サブ案内カニューレとメイン案内カニューレとの間の距離を調節でき、メイン案内カニューレに大きな器具を挿入すると、サブ案内カニューレに挿入される器具を障害することを防止する。サブ案内カニューレとメイン案内カニューレとは取外し可能に接続されるため、サブ案内カニューレを追加する必要がある場合、サブ案内カニューレを取付ブロックを介してガイドプレートの長尺孔内に挿入してもよいし、サブ案内カニューレが不要な場合、サブ案内カニューレ及び取付ブロックをガイドプレートの長尺孔から抜き出してもよく、柔軟な操作を実現する。
【００２８】
２、本発明においては、ガイドプレートには位置決め孔が設けられ、位置決め孔は長尺孔の両側に沿って間隔を開けて分布し、取付ブロックには固定孔が設けられ、更に第２係止部材を含み、固定孔と該固定孔に対応する位置決め孔とを設置することで、第２係止部材が固定孔と該固定孔に対応する位置決め孔との内に挿入され、取付ブロックをガイドプレートに固定し、施術過程中においてサブ案内カニューレの第２貫通孔での往復揺動を防止することができ、サブ案内カニューレ内に挿入される器具に対する位置決めをより正確にする。
【００２９】
３、本発明においては、取付ブロックはＴ字形ブロックであり、取付ブロックは第１接続部と第２接続部とを含み、第２接続部は第１接続部から突出し、第２貫通孔は第１接続部と第２接続部を貫通し、係止孔は第１接続部の側面に設置され、固定孔は、第２接続部の第１接続部から突出している部分に設置される。第２接続部の幅は、長尺孔の幅より大きく、第１接続部の幅は、長尺孔の幅と同じであり、第１接続部の高さは、長尺孔の高さと同じであり、それにより、取付ブロックが長尺孔の長手方向に沿って摺動することを効果的に規制し、固定孔を該固定孔に対応する位置決め孔に合わせるようにし、第２係止部材を固定孔と該固定孔に対応する位置決め孔の内に挿入し、取付ブロックとガイドプレートとを固定接続することを便利にする。
【００３０】
４、本発明においては、第２ボルトの長さは、固定孔と位置決め孔の厚さの合計以下であり、取付ブロックには座ぐり孔が設けられ、座ぐり孔は、第１接続部の第２接続部から離れた片側に設置され、第２ナットは座ぐり孔内に位置し、第２ボルトが長すぎて取付ブロックの外表面からはみ出してほかの器具を傷付くことを避ける。
【００３１】
５、本発明においては、サブ案内カニューレの長さは、メイン案内カニューレの長さより短く、メイン案内カニューレの挿入端のサブ案内カニューレに近づく片側には内視鏡視野孔が設けられ、内視鏡視野孔は長尺孔であり、メイン案内カニューレの長手方向に沿って延在する。実際の作業過程中において、メイン案内カニューレの内視鏡視野孔から、サブ案内カニューレ内に挿入されている器具の状況を確認することができ、サブ案内カニューレ内の器具の位置決め及び施術時の操作を便利にする。
【００３２】
６、本発明においては、取付ブロックの第２貫通孔は傾斜孔であり、第２貫通孔は上からメイン案内カニューレへ傾斜して、施術中、サブ案内カニューレの挿入端をメイン案内カニューレの外側壁に近づかせることを便利にする。
【００３３】
７、本発明においては、メイン案内カニューレとガイドプレートとは一体化されて設置され、メイン案内カニューレの挿入端のサブ案内カニューレに近づく片側には傾斜開口が設けられ、メイン案内カニューレに挿入される器具を案内し、メイン案内カニューレと患部との係着及び位置決めを便利にする。
【図面の簡単な説明】
【００３４】
背景技術や本発明の技術案についてより明瞭に説明するために、以下、従来技術や具体的な実施例に組み合わせて使用される図面について簡単に説明する。明らかに、以下の具体的な実施例に組み合わせて使用される図面は本発明の実施例を理解させるものに過ぎず、当業者は創造的な労力をせず、これらの図面に基づいて、ほかの図面を得ることができる。
【図１】は本発明の実施例が提供する全体組立構造図である。
【図２】は本発明の実施例が提供するガイドプレートの側面断面構造図である。
【図３】は本発明の実施例が提供するガイドプレートの平面構造図である。
【図４】は本発明の実施例が提供する取付ブロックの構造図である。
【図５】は本発明の実施例が提供する取付ブロックとガイドプレートの組立平面構造図である。
【図６】は図５におけるＡ−Ａ断面構造図である。
【図７】は本発明の実施例が提供する施術中の組立構造図である。
【発明を実施するための形態】
【００３５】
当業者に本発明の技術案をよく理解してもらうために、以下、本発明の実施例の図面に合わせて、本発明の実施例の技術案について明瞭で包括的に説明する。明らかに、説明される実施例は本発明の実施例の一部に過ぎず、実施例の全部ではない。本発明の実施例に基づいて、当業者が創造的な労力をせずに得られたほかの実施例は、いずれも本発明の保護範囲内に含まれる。
【００３６】
本発明の実施例が提供する多経路作業カニューレはメイン案内カニューレ１と１本のサブ案内カニューレ２とを含み、メイン案内カニューレ１とサブ案内カニューレ２との間隔を調節することができる。当然ながら、ほかの実施例において、実際の必要に応じてサブ案内カニューレ２を複数設置してもよい。
【００３７】
図１は本発明の実施例が提供する全体組立構造図であり、図１に示すように、メイン案内カニューレ１は、一端にガイドプレート３が設けられ、他端が挿入端であり、ガイドプレート３はメイン案内カニューレ１に垂直な長手方向に沿って延在する。本実施例において、メイン案内カニューレ１はガイドプレート３に溶接されるが、当然ながら、ほかの実施例において、メイン案内カニューレ１とガイドプレート３とは一体化されて設置されてもよい。メイン案内カニューレ１の挿入端のサブ案内カニューレ２に近づく片側に傾斜開口８が設けられ、メイン案内カニューレ１内に挿入された器具を案内し、メイン案内カニューレ１と患部との係着及び位置決めを便利にする。
【００３８】
図２は本発明の実施例が提供するガイドプレートの側面断面構造図であり、図３は本発明の実施例が提供するガイドプレートの平面構造図である。図２及び図３に示すように、ガイドプレート３には第１貫通孔３０が設けられ、メイン案内カニューレ１は第１貫通孔３０内に挿入され、ガイドプレート３には少なくもと１つの長尺孔３１が設けられ、長尺孔３１はガイドプレート３が位置する平面に沿って間隔を開けて分布する。
【００３９】
本実施例において、ガイドプレート３には位置決め孔３２が設けられ、位置決め孔３２は長尺孔３１の両側に沿って間隔を開けて分布し、取付ブロック４には固定孔４２が設けられ、更に第２係止部材６を含み、第２係止部材６が固定孔４２と固定孔４２に対応する位置決め孔３２の内に挿入され、取付ブロック４をガイドプレート３に固定する。
【００４０】
固定孔４２と固定孔４２に対応する位置決め孔３２とを設置することで、第２係止部材６が固定孔４２と固定孔４２に対応する位置決め孔３２との内に挿入され、取付ブロック４をガイドプレート３に固定し、施術過程中においてサブ案内カニューレ２の第２貫通孔４０内での往復揺動を防止し、サブ案内カニューレ２内に挿入された器具に対する位置決めを更に正確にする。
【００４１】
図４は本発明の実施例が提供する取付ブロックの構造図であり、図４に示すように、取付ブロック４には第２貫通孔４０が設けられ、サブ案内カニューレ２は第２貫通孔４０内に挿入され、取付ブロック４の側面には係止孔４１が設けられ、係止孔４１は第２貫通孔４０に連通する。
更に第１係止部材５を含み、第１係止部材５は係止孔４１内に挿入され、サブ案内カニューレ２と取付ブロック４とを固定接続する。
【００４２】
本発明において、取付ブロック４はＴ字形ブロックであり、取付ブロック４は第１接続部４３と第２接続部４４とを含み、第１接続部４３と第２接続部４４とは一体化されて設置され、第２接続部４４は第１接続部４３から突出し、第２貫通孔４０は第１接続部４３と第２接続部４４を貫通し、係止孔４１は第１接続部４３の側面に設置され、固定孔４２は、第２接続部４４の第１接続部４３から突出している部分に設置される。
【００４３】
第２接続部４４の幅は、長尺孔３１の幅より大きい。第１接続部４３の幅は、長尺孔３１の幅と同じである。第１接続部４３の高さは、長尺孔３１の高さと同じである。
【００４４】
それにより、取付ブロック４が長尺孔３１の長手方向に沿って摺動することを効果的に規制することにより、固定孔４２を固定孔４２に対応する位置決め孔３２に合わせて、第２係止部材６を固定孔４２と固定孔４２に対応する位置決め孔３２との内に挿入すること、及び取付ブロック４とガイドプレート３とを固定接続することを便利にする。
【００４５】
第１係止部材５は第１ボルトと第１ナットとを含み、第１ボルトの長さは、係止孔４１の長さより長い。第１ボルトは係止孔４１内に挿入され、サブ案内カニューレ２と取付ブロック４とを固定接続する。
【００４６】
第２係止部材６は第２ボルトと第２ナット６０とを含み、第２ボルトを固定孔４２と固定孔４２に対応する位置決め孔３２の内に挿入することで、取付ブロック４をガイドプレート３に固定する。
【００４７】
本実施例において、第２ボルトの長さは、固定孔４２と位置決め孔３２の厚さの合計以下であり、取付ブロック４には座ぐり孔が設けられ、座ぐり孔は、第１接続部４３の第２接続部４４から離れた一端に設置され、第２ナット６０は座ぐり孔内に位置し、第２ボルトが長すぎて取付ブロック４の外表面からはみ出してほかの部品を傷付くことを避ける。
【００４８】
本実施例において、サブ案内カニューレ２の長さはメイン案内カニューレ１の長さより短く、メイン案内カニューレ１の挿入端のサブ案内カニューレ２に近づく片側には内視鏡視野孔７が設けられ、内視鏡視野孔７は長尺孔となり、メイン案内カニューレ１の長手方向に沿って延在する。実際の操作過程において、メイン案内カニューレ１の内視鏡視野孔７から、サブ案内カニューレ２内に挿入されている器具の作業状況を確認することができ、サブ案内カニューレ２内での器具の位置決め及び施術の作業を便利にする。
【００４９】
メイン案内カニューレ１及びサブ案内カニューレ２の挿入された深さを観察しやすいために、本実施例において、メイン案内カニューレ１及びサブ案内カニューレ２の外側壁にはいずれも目盛線及び目盛値が設けられる。
【００５０】
図７は本発明の実施例が提供する施術中の組立構造図であり、図７に示すように、ほかの実施例において、施術中、サブ案内カニューレ２の挿入端をメイン案内カニューレの外側壁に近づかせることを便利にするために、取付ブロック４の第２貫通孔４０は傾斜孔であり、第２貫通孔４０は上からメイン案内カニューレへ傾斜する。
【００５１】
実際の作業過程中において、内視鏡をサブ案内カニューレ２内に挿入することができ、複数の器具（神経根保護具、血カニューレクランプなど）を同時にメイン案内カニューレ１内に挿入することができ、医師が便利に組み合わせて使用できるようにする。当然ながら、他の実施例においても、内視鏡をサブ案内カニューレ２内に挿入することができる。本発明において、メイン案内カニューレ１の外側にサブ案内カニューレ２を設置することで、従来の主経路の機能に対する障害を避ける。同時に、サブ案内カニューレ２の一端には取付ブロック４が設けられるため、取付ブロック４を長尺孔３１の長手方向に沿って移動して、サブ案内カニューレ２とメイン案内カニューレ１の間の距離を調節でき、メイン案内カニューレ１内に大きな器具を挿入して、サブ案内カニューレ内に挿入される器具を障害することを防止する。サブ案内カニューレ２とメイン案内カニューレ１とは取外し可能に接続されるため、サブ案内カニューレ２を追加する必要がある場合、サブ案内カニューレ２を取付ブロック４を介してガイドプレート３の長尺孔３１内に挿入し、サブ案内カニューレ２が不要な場合、サブ案内カニューレ２及び取付ブロック４をガイドプレート３の長尺孔３１から抜き出すことができ、柔軟な操作を実現する。
【００５２】
以上、本発明の実施例の多経路作業カニューレについて詳しく説明した。この部分は具体的な実施例を用いて本発明の原理及び実施形態を説明したが、以上の実施例の説明は本発明の技術的思想を理解されるためのものだけで、本発明の原理から逸脱しない限り、当業者が創造的な労力をせずに得られたほかの実施例は、いずれも本発明の保護範囲に含まれる。
【符号の説明】
【００５３】
１、メイン案内カニューレ；２、サブ案内カニューレ；３、ガイドプレート；３０、第１貫通孔；３１、長尺孔；３２、位置決め孔；４、取付ブロック；４０、第２貫通孔；４１、係止孔；４２、固定孔；４３、第１接続部；４４、第２接続部；５、第１係止部材；６、第２係止部材；６０、第２ナット；７、内視鏡視野孔；８、傾斜開口
【図１】
2021533928.tif 000003
【図２】
2021533928.tif 000004
【図３】
2021533928.tif 000005
【図４】
2021533928.tif 000006
【図５】
2021533928.tif 000007
【図６】
2021533928.tif 000008
【図７】
2021533928.tif 000009
【国際調査報告】
2021533928.tif 000010
2021533928.tif 000011
2021533928.tif 000012
2021533928.tif 000013